(57)【要約】【課題】パネルを高いモード倍数で駆動する場合であっても、滑らかに階調を表示する。【解決手段】１フィールド期間を書込み期間と維持期間とを有する複数のサブフィールドから構成し、書込み期間では走査電極に走査パルスを印加するとともにデータ電極に選択的に書込みパルスを印加して放電セルで選択的に書込み放電を発生させ、維持期間ではサブフィールド毎に設定された輝度重みに定数を乗じた数の維持パルスを走査電極および維持電極に印加して、書込み期間において選択された放電セルを発光させるための維持放電を発生させ、入力画像信号の平均輝度レベルが低いときの定数は入力画像信号の平均輝度レベルが高いときの定数よりも大きく設定し、入力画像信号の平均輝度レベルが低いときの走査パルスのパルス幅は入力画像信号の平均輝度レベルが高いときの走査パルスのパルス幅よりも短く設定する。【選択図】図４
2007041473.tif 000002
【特許請求の範囲】
【請求項１】
走査電極および維持電極とデータ電極との交差部に放電セルを形成したプラズマディスプレイパネルの駆動方法であって、
１フィールド期間を、書込み期間と維持期間とを有する複数のサブフィールドから構成し、
前記書込み期間では、前記走査電極に走査パルスを印加するとともにデータ電極に選択的に書込みパルスを印加して前記放電セルで選択的に書込み放電を発生させ、
前記維持期間では、サブフィールド毎に設定された輝度重みに定数を乗じた数の維持パルスを前記走査電極および前記維持電極に印加して、前記書込み期間において選択された放電セルを発光させるための維持放電を発生させ、
入力画像信号の平均輝度レベルが低いときの前記定数は、入力画像信号の平均輝度レベルが高いときの前記定数よりも大きく設定し、
入力画像信号の平均輝度レベルが低いときにおける前記輝度重みの最も小さいサブフィールドの走査パルスのパルス幅は、入力画像信号の平均輝度レベルが高いときにおける前記輝度重みの最も小さいサブフィールドの走査パルスのパルス幅よりも短く設定することを特徴とするプラズマディスプレイパネルの駆動方法。
【請求項２】
走査電極と維持電極とデータ電極との交差部に放電セルを形成したプラズマディスプレイパネルを用いたプラズマディスプレイ装置であって、
１フィールド期間を、書込み期間と維持期間とを有する複数のサブフィールドから構成し、
前記書込み期間では、前記走査電極に走査パルスを印加するとともにデータ電極に選択的に書込みパルスを印加して前記放電セルで選択的に書込み放電を発生させ、
前記維持期間では、サブフィールド毎に設定された輝度重みに定数を乗じた数の維持パルスを前記走査電極および前記維持電極に印加して、前記書込み期間において選択された放電セルを発光させるための維持放電を発生させ、
入力画像信号の平均輝度レベルが低いときの前記定数を、入力画像信号の平均輝度レベルが高いときの前記定数よりも大きく設定する定数設定手段と、
入力画像信号の平均輝度レベルが低いときの前記走査パルスのパルス幅を、入力画像信号の平均輝度レベルが高いときの前記走査パルスのパルス幅よりも短く設定するパルス幅設定手段と、
前記定数決定手段で決定された定数および前記パルス幅決定手段で決定されたパルス幅信号に依存して各電極を駆動するタイミング信号を発生するタイミング発生手段と、
前記タイミング信号によって、前記走査電極を駆動する走査ドライバ、前記維持電極を駆動する維持ドライバ、および前記データ電極を駆動するデータドライバとを具備したことを特徴とするプラズマディスプレイ装置。
【発明の詳細な説明】
【技術分野】
【０００１】
本発明は、プラズマディスプレイパネルの駆動方法およびそれを用いたプラズマディスプレイ装置に関する。
【背景技術】
【０００２】
近年、プラズマディスプレイパネル（以下、「パネル」と略記する）が急成長を遂げており、大型平面ディスプレイ装置として広く利用されるようになってきた。
【０００３】
パネルは対向配置された前面板と背面板とから構成されている。前面板は、１対の走査電極と維持電極とからなる表示電極対が前面基板上に互いに平行に複数対形成され、それら表示電極対を覆うように前面側誘電体層および保護膜が形成されている。背面板は、背面基板上に複数の平行なデータ電極と、それらを覆うように背面側誘電体層と、さらにその上にデータ電極と平行に複数の隔壁とがそれぞれ形成され、背面側誘電体層の表面と隔壁の側面とに蛍光体層が形成されている。そして、表示電極対とデータ電極とが立体交差するように前面板と背面板とが対向配置されて密封され、内部の空間には放電ガスが封入されている。ここで表示電極対とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００４】
このようなパネルを駆動する方法としてはサブフィールド法が用いられている。これは、１フィールド期間を複数のサブフィールドに分割し、それぞれのサブフィールドで各放電セルを発光させるか、発光させないかを選択制御することにより階調表示を行う方法である。サブフィールドのそれぞれは初期化期間、書込み期間および維持期間を有する。初期化期間では、放電セルで初期化放電を行い、続く書込み動作のために必要な壁電荷を形成する。加えて、放電遅れを小さくして書込み放電を安定して発生させるためのプライミング粒子（励起粒子）を発生させるという働きをもつ。このとき初期化放電による発光があり、これが表示画像のうち黒を表示する領域の輝度（以下、「黒輝度」と略記する）を決める。書込み期間では、走査電極に順次走査パルスを印加するとともにデータ電極には入力画像信号に対応した書込みパルスを印加し、走査電極とデータ電極との間および走査電極と維持電極との間で選択的に書込み放電を発生させ壁電荷形成を行う。続く維持期間では、表示すべき輝度に応じた回数の維持パルスを走査電極と維持電極との間に印加し、書込み放電による壁電荷形成を行った放電セルを選択的に放電させ発光させる。なお、サブフィールド毎の表示すべき輝度の比率を、以下「輝度重み」と呼ぶ。
【０００５】
このようなサブフィールド法の中でも、階調表示に関係しない発光を極力減らし、黒輝度を下げてコントラスト比を向上させるために、緩やかに変化する電圧波形を用いて初期化放電を行う方法や、維持放電を行った放電セルに対して選択的に初期化放電を行う方法等、新規な駆動方法が開示されている（特許文献１参照）。
【０００６】
また、暗い画像を表示する際にある程度輝度を上げて画像を見やすくする方法として、入力画像信号の平均輝度レベル（以下、「ＡＰＬ」と略記する）に応じて定数（以下、「モード倍数」と呼称する）を設定し、輝度重みにこの定数を乗じて維持パルス数を設定する方法が知られている（特許文献２参照）。この方法を用いると、ＡＰＬが高い場合にはモード倍数を１倍モードとして画像表示を行うが、画像全体が暗くなりＡＰＬが低下すると、１．５倍モード、２倍モード、３倍モードとモード倍数を増加する。すると、モード倍数の増加に伴って維持パルス数が増加し、表示画像の輝度が上がるので画像を見やすくすることができる。
【特許文献１】特開２０００−２４２２２４号公報
【特許文献２】特開平１１−２３１８３３号公報
【発明の開示】
【発明が解決しようとする課題】
【０００７】
ところが、モード倍数を増加させて画像の表示輝度を上げても、初期化放電による発光のみで決まる黒輝度は変化しない。したがって、黒輝度とその次に暗い階調の輝度との差（以下、これを「黒輝度差」と略記する）が大きくなり、その境界が擬似輪郭として確認されるようになり、ＡＰＬの低い画像を表示したとき滑らかな階調の表示ができないという課題があった。
【０００８】
本発明は、パネルを高いモード倍数で駆動する場合であっても、滑らかに階調を表示することができるパネルの駆動方法およびプラズマディスプレイ装置を提供することを目的とする。
【課題を解決するための手段】
【０００９】
本発明は、走査電極および維持電極とデータ電極との交差部に放電セルを形成したパネルの駆動方法であって、１フィールド期間を書込み期間と維持期間とを有する複数のサブフィールドから構成し、書込み期間では走査電極に走査パルスを印加するとともにデータ電極に選択的に書込みパルスを印加して放電セルで選択的に書込み放電を発生させ、維持期間ではサブフィールド毎に設定された輝度重みに定数を乗じた数の維持パルスを走査電極および維持電極に印加して、書込み期間において選択された放電セルを発光させるための維持放電を発生させ、入力画像信号の平均輝度レベルが低いときの定数は入力画像信号の平均輝度レベルが高いときの定数よりも大きく設定し、入力画像信号の平均輝度レベルが低いときにおける輝度重みの最も小さいサブフィールドの走査パルスのパルス幅は入力画像信号の平均輝度レベルが高いときにおける輝度重みの最も小さいサブフィールドの走査パルスのパルス幅よりも短く設定することを特徴とする。これにより、パネルを高いモード倍数で駆動する場合であっても、滑らかに階調を表示することができるという効果を奏する。
【００１０】
また本発明は、走査電極と維持電極とデータ電極との交差部に放電セルを形成したパネルを用いたプラズマディスプレイ装置であって、１フィールド期間を書込み期間と維持期間とを有する複数のサブフィールドから構成し、書込み期間では走査電極に走査パルスを印加するとともにデータ電極に選択的に書込みパルスを印加して放電セルで選択的に書込み放電を発生させ、維持期間ではサブフィールド毎に設定された輝度重みに定数を乗じた数の維持パルスを走査電極および維持電極に印加して、書込み期間において選択された放電セルを発光させるための維持放電を発生させ、入力画像信号の平均輝度レベルが低いときの定数を入力画像信号の平均輝度レベルが高いときの定数よりも大きく設定する定数設定手段と、入力画像信号の平均輝度レベルが低いときの走査パルスのパルス幅を入力画像信号の平均輝度レベルが高いときの走査パルスのパルス幅よりも短く設定するパルス幅設定手段と、定数決定手段で決定された定数およびパルス幅決定手段で決定されたパルス幅信号に依存して各電極を駆動するタイミング信号を発生するタイミング発生手段と、タイミング信号によって、走査電極を駆動する走査ドライバ、維持電極を駆動する維持ドライバ、およびデータ電極を駆動するデータドライバとを具備したことを特徴とする。これにより、パネルを高いモード倍数で駆動する場合であっても、滑らかに階調を表示することができるプラズマディスプレイ装置を提供することができる。
【発明の効果】
【００１１】
本発明は、パネルを高モード倍数で駆動する場合であっても、滑らかな階調表示を実現することができるという効果を奏する。
【発明を実施するための最良の形態】
【００１２】
以下、本発明の実施の形態におけるパネルについて図面を参照しながら説明する。
【００１３】
（実施の形態）
図１に本発明の一実施の形態に用いるパネルの要部断面を示す。図１において、パネルは、互いに対向配置された前面板１と背面板２とがその端部で、封止フリット（図示せず）により封止され、間隙に放電ガスが封入され、放電空間２２が形成されている。前面板１は、ガラスからなる前面基板１１上に、走査電極１２と、維持電極１３とで構成される表示電極対１４が、複数互いに平行に形成されている。これらは、透明電極と金属電極との組み合わせで構成されている。そして、それらを覆うように、前面側誘電体層１５および保護膜１６が形成されている。他方、背面板２は、ガラスからなる背面基板１７上に、表示電極対１４に直交する方向に伸びるデータ電極１８が複数形成され、それらを覆うように背面側誘電体層１９が形成されている。さらに背面側誘電体層１９上に、データ電極１８と平行に隔壁２０が複数形成されている。なお、隔壁の形状はこれに限らず、井桁状構成であってもよい。各データ電極１８上の背面側誘電体層１９と隔壁２０との側面には、データ電極に対応してＲ、Ｇ、Ｂのいずれかの蛍光体層２１が形成されている。そして、データ電極１８と表示電極対１４とが交差する部分の放電空間２２には放電セル２３が形成されている。
【００１４】
図２は本発明の一実施の形態におけるパネルの電極配列図である。行方向にｎ本の走査電極ＳＣ１〜ＳＣｎ（図１の走査電極１２）およびｎ本の維持電極ＳＵ１〜ＳＵｎ（図１の維持電極１３）が配列され、列方向にｍ本のデータ電極Ｄ１〜Ｄｍ（図１のデータ電極１８）が配列されている。そして、１対の走査電極ＳＣｉおよび維持電極ＳＵｉ（ｉ＝１〜ｎ）と１つのデータ電極Ｄｋ（ｋ＝１〜ｍ）とが交差した部分に放電セルが形成され、放電セルは放電空間内にｍ×ｎ個形成されている。
【００１５】
図３は本発明の一実施の形態におけるプラズマディスプレイ装置の回路ブロック図である。画像信号処理回路２４０は入力画像信号ｓｉｇをパネル１００の画素数に応じた画像データに変換し、各画素の画像データを複数のサブフィールドに対応する複数のビットに分割しデータドライバ２１０に出力する。データドライバ２１０はサブフィールド毎の画像データを各データ電極Ｄ１〜Ｄｍに対応する信号に変換し各データ電極Ｄ１〜Ｄｍを駆動する。定数設定手段２５０は、入力画像信号ｓｉｇのＡＰＬに基づいてモード倍数を設定する。このとき、ＡＰＬが高い場合は１倍モードに設定し、ＡＰＬが下がるにつれて大きくなるように設定する。本実施の形態においては最小のモード倍数を１倍、最大のモード倍数を３倍とする。なお、モード倍数は整数に限られるわけではなく、例えば、１．２倍等に設定することも可能である。そして定数設定手段２５０で設定されたモード倍数はパルス幅設定手段２６０およびタイミング発生回路２７０に出力される。パルス幅設定手段２６０は、モード倍数に従って第１ＳＦのパルス幅信号ＴＣを設定してタイミング発生回路２７０に出力する。タイミング発生回路２７０は水平同期信号Ｈ、垂直同期信号Ｖ、モード倍数信号およびパルス幅信号ＴＣに基づいてタイミング信号を発生し、走査ドライバ、維持ドライバ、データドライバへ供給する。維持ドライバ２３０はこのタイミング信号に基づいて維持電極ＳＵ１〜ＳＵｎに駆動電圧波形を供給する。走査ドライバ２２０はタイミング信号に基づいて走査電極ＳＣ１〜ＳＣｎに駆動電圧波形を供給する。データドライバ２１０はタイミング信号に基づいてデータ電極Ｄ１〜Ｄｍに駆動電圧波形を供給する。
【００１６】
次に、パネルを駆動するための駆動電圧波形とその動作について説明する。図４は本発明の一実施の形態におけるパネルの各電極に印加する駆動電圧波形を示す図である。本実施の形態においては、画像信号の１フィールドを１０のサブフィールド（第１ＳＦ、第２ＳＦ、・・・、第１０ＳＦ）に分割し、各サブフィールドはそれぞれ（１、２、３、６、１１、１８、３０、４４、６０、８０）の輝度重みをもっており、第１ＳＦは輝度重みの最も低いサブフィールドである。
【００１７】
図４（ａ）はＡＰＬが高く１倍モードに設定された場合の駆動電圧波形を示し、図４（ｂ）はＡＰＬが低く３倍モードに設定された場合の駆動電圧波形を示している。まず、１倍モードの駆動電圧波形について説明する。
【００１８】
第１ＳＦの初期化期間の前半部では、データ電極Ｄ１〜Ｄｍおよび維持電極ＳＵ１〜ＳＵｎを０Ｖに保持し、走査電極ＳＣ１〜ＳＣｎに対して放電開始電圧以下となる電圧Ｖｉ１から放電開始電圧を超える電圧Ｖｉ２に向かって緩やかに上昇するランプ電圧を印加する。すると、すべての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。
【００１９】
続く初期化期間の後半部では、維持電極ＳＵ１〜ＳＵｎを正の電圧Ｖｅ１に保ち、走査電極ＳＣ１〜ＳＣｎに電圧Ｖｉ３から電圧Ｖｉ４に向かって緩やかに下降するランプ電圧を印加する。すると、すべての放電セルにおいて２回目の微弱な初期化放電を起こし、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧も書込み動作に適した値に調整される。
【００２０】
なお黒輝度は、第１ＳＦの初期化期間における２回の微弱な初期化放電に伴う発光で決まる。
【００２１】
第１ＳＦの書込み期間では、維持電極ＳＵ１〜ＳＵｎに電圧Ｖｅ２を印加し、走査電極ＳＣ１〜ＳＣｎを一旦Ｖｃに保持する。次に、データ電極Ｄ１〜Ｄｍのうち１行目に発光すべき放電セルのデータ電極Ｄｋ（ｋ＝１〜ｍ）に正の書込みパルス電圧Ｖｄを印加するとともに、１行目の走査電極ＳＣ１に負の走査パルス電圧Ｖａを印加する。すると、データ電極Ｄｋと走査電極ＳＣ１との交差部の電圧は、外部印加電圧（Ｖｄ−Ｖａ）にデータ電極Ｄｋ上の壁電圧および走査電極ＳＣ１上の壁電圧が加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光すべき放電セルで書込み放電を起こして各電極上に壁電圧を蓄積する書込み動作が行われる。一方、書込みパルス電圧Ｖｄを印加しなかったデータ電極Ｄｈ（ｈ≠ｋ）と走査電極ＳＣ１との交差部の電圧は放電開始電圧を超えないので、書込み放電は発生しない。以上の書込み動作をｎ行目の放電セルに至るまで順次行い、書込み期間が終了する。
【００２２】
ここで１倍モードにおいては、走査電極ＳＣ１〜ＳＣｎに印加する走査パルス電圧のパルス幅Ｔｗを４μｓと設定している。
【００２３】
続く維持期間では、維持電極ＳＵ１〜ＳＵｎを０Ｖに戻し、走査電極ＳＣ１〜ＳＣｎに維持パルス電圧Ｖｓを印加する。このとき書込み放電を起こした放電セルにおいては、走査電極ＳＣｉ（ｉ＝１〜ｎ）上と維持電極ＳＵｉ上との間の電圧は維持パルス電圧Ｖｓに走査電極ＳＣｉ上および維持電極ＳＵｉ上の壁電圧の大きさが加算されたものとなり放電開始電圧を超える。そして、走査電極ＳＣｉと維持電極ＳＵｉとの間に維持放電が起こり発光する。書込み期間において書込み放電が起きなかった放電セルでは維持放電は発生せず、初期化期間の終了時における壁電圧状態が保持される。第１ＳＦの輝度重みは１であるので、１倍モードにおいては第１ＳＦの維持期間の維持パルスの数は（輝度重み）×（モード倍数）＝１×１＝１であるので、この時点で１倍モードの維持期間が終了する。
【００２４】
第２ＳＦの初期化期間では、維持電極ＳＵ１〜ＳＵｎをＶｅ１に保持し、データ電極Ｄ１〜Ｄｍを０Ｖに保持し、走査電極ＳＣ１〜ＳＣｎに電圧Ｖｉ３’から電圧Ｖｉ４に向かって緩やかに下降するランプ電圧を印加する。すると前のサブフィールドの維持期間で維持放電を行った放電セルでは微弱な初期化放電が発生し、走査電極ＳＣｉ上および維持電極ＳＵｉ上の壁電圧が弱められ、データ電極Ｄｋ上の壁電圧も書込み動作に適した値に調整される。一方、前のサブフィールドで書込み放電および維持放電を行わなかった放電セルについては放電することはなく、前のサブフィールドの初期化期間終了時における壁電荷状態がそのまま保たれる。
【００２５】
第２ＳＦの書込み期間では、第１ＳＦと同様の書込み動作を行うが、このときの走査パルスのパルス幅Ｔｗはモード倍数に関係なく一定の値である。
【００２６】
続く維持期間についても、維持パルス数が（輝度重み）×（モード倍数）となる以外は第１ＳＦの維持期間と同様の動作を行う。また、続く第３ＳＦ〜第１０ＳＦにおいても、初期化期間は第１ＳＦまたは第２ＳＦの初期化期間と同様であり、書込み期間も第２ＳＦと同様であり、維持期間も維持パルス数が（輝度重み）×（モード倍数）となる以外は第２ＳＦと同様の維持動作を行う。
【００２７】
次に、３倍モードの駆動電圧波形について説明する。第１ＳＦの初期化期間については１倍モードの場合と同じであるため説明を省略する。
【００２８】
第１ＳＦの書込み期間においても、１倍モードの場合と同様に、維持電極ＳＵ１〜ＳＵｎに電圧Ｖｅ２を印加し、走査電極ＳＣ１〜ＳＣｎに順次走査パルス電圧Ｖａを印加しながら、データ電極Ｄ１〜Ｄｍのうち発光すべき放電セルのデータ電極Ｄｋ（ｋ＝１〜ｍ）に正の書込みパルス電圧Ｖｄを印加して書込み動作を行う。ここで３倍モードにおいては、走査電極ＳＣ１〜ＳＣｎに印加する走査パルス電圧のパルス幅Ｔｗを１．８μｓと設定している。これは１倍モードにおける走査パルス電圧のパルス幅Ｔｗ４．０μｓと比較すると１／２以下に短く設定していることになる。
【００２９】
続く維持期間では、維持電極ＳＵ１〜ＳＵｎを０Ｖに戻し、走査電極ＳＣ１〜ＳＣｎに維持パルス電圧Ｖｓを印加し、書込み期間に書込み放電を発生した放電セルにおいて維持放電を発生させる。その後、走査電極ＳＣ１〜ＳＣｎを０Ｖに戻し、維持電極ＳＵ１〜ＳＵｎに維持パルス電圧Ｖｓを印加して再び維持放電を発生させる。そしてその後、維持電極ＳＵ１〜ＳＵｎを０Ｖに戻し、走査電極ＳＣ１〜ＳＣｎに維持パルス電圧Ｖｓを印加して３回目の維持放電を発生させる。こうして３倍モードの場合の維持期間においては維持パルスの数は（輝度重み）×（モード倍数）＝１×３＝３であり、１倍モードの３倍の維持放電が発生する。
【００３０】
第２ＳＦ以降の動作については、それぞれのサブフィールドにおける維持期間の維持パルス数が１倍モードの場合の３倍になっている以外は１倍モードにおける動作と同様であるため説明を省略する。
【００３１】
このように本実施の形態においては、輝度重みの最も小さい第１ＳＦの書込み期間において、モード倍数が１のときは、走査電極ＳＣ１〜ＳＣｎの走査パルスのパルス幅Ｔｗを４μｓと長く設定し、３倍モードのときには、パルス幅Ｔｗを１．８μｓと短く設定している。なおこれ以外のモード倍数のときには、そのモード倍数に応じてモード倍数が小さいときには長く、モード倍数が大きくなるにつれて短くなるように、第１ＳＦの書込み期間における走査パルスのパルス幅を１．８μｓ〜４μｓの間の値に適宜設定する。
【００３２】
次に、第１ＳＦの書込み期間における走査パルスのパルス幅をモード倍数に応じて設定する理由について説明する。上述したように、書込み期間において走査電極ＳＣｉに走査パルス電圧Ｖａを印加し、データ電極Ｄｋに書込みパルス電圧Ｖｄを印加すると、走査電極ＳＣｉとデータ電極Ｄｋとの交差部の放電セルにおいて書込み放電が発生する。このとき１倍モードにおけるパルス幅Ｔｗ＝４μｓのように走査パルスのパルス幅が十分長い場合には、この書込み放電によって走査電極ＳＣｉ、維持電極ＳＵｉ、データ電極Ｄｋのそれぞれの電極上には十分な壁電圧が蓄積される。
【００３３】
しかしながら、３倍モードにおけるパルス幅Ｔｗ＝１．８μｓのように走査パルスのパルス幅が短い場合には、書込み放電の継続する時間が短く、それぞれの電極上に壁電圧を蓄積するための時間も不足するため、それぞれの電極上に蓄積される壁電圧もパルス幅が長い場合に比べ少なくなる。すると、続く維持期間における最初の維持放電では、放電セルの放電空間に印加される電圧値がこの壁電圧の少なくなる分だけ低くなり維持放電が弱くなって、輝度が１倍モードの場合よりも低下する。続く維持放電ではこの輝度低下は次第に回復していくものの、この影響を受けて２回目、３回目の維持放電も弱くなる。特に最も輝度重みの小さい第１ＳＦは維持パルス数も少ないので、走査パルスのパルス幅が大きく輝度に影響することになる。
【００３４】
このように、走査パルスのパルス幅を４μｓから１．８μｓと短くすることにより、書込み放電で蓄積される壁電圧を少なくし、最も輝度重みの小さいサブフィールドの維持放電に伴う輝度を下げることができる。このため、黒輝度差を小さくすることができ暗い画像を表示する場合であっても滑らかに階調を表示することができるという効果を奏する。
【００３５】
図５は、第１ＳＦの書込み期間における走査パルスのパルス幅を変化させたときの維持放電に伴う輝度を測定した結果を示す図である。図５で、横軸は走査パルスのパルス幅を示し、縦軸は第１ＳＦのみを発光させたときの維持発光強度を示す。もちろんこのときの維持パルス数は一定である。そしてこのときの黒輝度は０．２９ｃｄ／ｍ２であった。走査パルスのパルス幅を４．０μｓから１．８μｓまで短くすると、輝度は２．５２ｃｄ／ｍ２から２．１９ｃｄ／ｍ２へと減少し、黒輝度差は、２．２３ｃｄ／ｍ２から１．９０ｃｄ／ｍ２となり、黒輝度差を約１５％抑制することができた。このように、最も輝度重みの小さいサブフィールドの書込み期間における走査パルスのパルス幅を短くすることにより表示輝度を低下させ、黒輝度差を抑制するという効果を確認することができた。
【００３６】
なお、１フィールドを構成するサブフィールドの数および各サブフィールドの輝度重みは本実施の形態に限定されるものではなく、各サブフィールドの輝度重みの組み合わせによって階調を表示できれば、他のサブフィールド構成であっても同様の効果を得ることができる。また本実施の形態においてはモード倍数の最大値を３倍としたが本発明はこれに限定するものではなく、どのようなモード倍数であっても同様の効果を得ることができる。
【産業上の利用可能性】
【００３７】
本発明のパネルの駆動方法およびプラズマディスプレイ装置は、パネルを高モード倍数で駆動する場合であっても、滑らかな階調表示を実現することができるという効果を有し、映像表示用の大型ディスプレイ装置等として有用である。
【図面の簡単な説明】
【００３８】
【図１】本発明の一実施の形態に用いるパネルの要部断面を示す斜視図
【図２】同パネルの電極配列図
【図３】本発明の一実施の形態におけるプラズマディスプレイ装置の回路ブロック図
【図４】本発明の一実施の形態におけるパネルの各電極に印加する駆動電圧波形を示す図
【図５】本発明の実施の形態における書込み走査パルスのパルス幅と表示輝度の関係を示す特性図
【符号の説明】
【００３９】
１    前面板
２    背面板
１２    走査電極
１３    維持電極
１８    データ電極
１９    背面側誘電体層
２１０    データドライバ
２２０    走査ドライバ
２３０    維持ドライバ
２５０    定数設定手段
２６０    パルス幅設定手段
２７０    タイミング発生回路
【図１】
2007041473.tif 000003
【図２】
2007041473.tif 000004
【図３】
2007041473.tif 000005
【図４】
2007041473.tif 000006
【図５】
2007041473.tif 000007